(57)【要約】【課題】プラスチック製の継手及びこれを連結してなる配管ヘッダ−を固定するための固定具を提供するもので、プラスチック製の継手の最も強度の高いキャップを固定するものであり、ずれやねじれにも十分耐え得る固定具である。【解決手段】基盤への固定部１とプラスチック継手のキャップを挟む挟持部２とよりなるパイプ継手の固定具であって、前記挟持部２は二つ割りされ、かつこの幅方向に内側に湾曲してキャップの側面を挟み込む舌片を備え、更に挟持部２の前端に相互に係止する係止手段を持ち、後端側を固定部１に立設された脚部により回転可能に支持され、後端側より更に内側に伸びる踏部を形成し、前端よりキャップを差し込み、当該キャップにて踏部を押して前端の係止手段が作動するようにしたパイプ継手の固定具。３‥連結用筒体、６‥キャップ、２０‥固定具、２１‥固定部、２２‥脚部、２３‥挟持部、２３ｆ‥舌片。【選択図】  図６
2004225858.tif 000002
【特許請求の範囲】
【請求項１】
基盤への固定部１とプラスチック継手のキャップを挟む挟持部２とよりなるパイプ継手の固定具であって、前記挟持部２は二つ割りされ、かつこの幅方向に内側に湾曲してキャップの側面を挟み込む舌片を備え、更に挟持部２の前端に相互に係止する係止手段を持ち、後端側を固定部１に立設された脚部により回転可能に支持され、後端側より更に内側に伸びる踏部を形成し、前端よりキャップを差し込み、当該キャップにて踏部を押して前端の係止手段が作動するようにしたことを特徴とするパイプ継手の固定具。
【請求項２】
固定具が金属製である請求項１記載のパイプ継手の固定具。
【請求項３】
パイプ継手がプラスチック製である請求項１記載のパイプ継手の固定具。
【請求項４】
パイプ継手がプラスチック製の継手を連結した配管ヘッダ−である請求項１記載のパイプ継手の固定具。
【発明の詳細な説明】
【０００１】
【発明の属する技術分野】
本発明はプラスチック製のパイプ継手を水平の或いは垂直の基盤上に固定する固定具に関するものである。
【０００２】
【従来の技術】
近年、高層建築を始め戸建て住宅にあっても給水・給湯パイプとして比較的柔軟なプラスチックパイプが用いられている。代表的に言えば、給水・給湯源から導かれた配管ヘッダ−と各器具間をこのプラスチックパイプにて連結するものであり、この配管ヘッダ−とプラスチックパイプ、プラスチックパイプと各器具、更にプラスチックパイプ同士の連結には継手が用いられ、近年ではこの継手も配管ヘッダ−もプラスチック製のものが採用されるようになってきた。特に配管ヘッダ−にあっても、プラスチック製の継手をそのまま連結した構造の配管ヘッダ−が採用されるようになっている。
【０００３】
以下、本発明をプラスチック製の継手を連結した配管ヘッダ−を代表として説明すると、この種の配管ヘッダ−は通常はコンクリ−ト等の水平の或いは垂直の基盤に固定されて使用に供される。しかるに、プラスチック製の継手を連結した配管ヘッダ−にあっては、外部応力等により継手の夫々が連結部にてやや動きを伴うため、多少の折れ曲がり現象を生ずる。従って、使用される固定具にはこのずれやねじれを阻止する機能を持っていなくてはならないが、かかる機能を有する固定具はない。
【０００４】
図１はプラスチック製の継手の一例であり、図２はこれを連結した配管ヘッダ−の例である。かかる継手は基体１がポリブテン製であり、基体１に貫通する流路２が形成され、その一側に連結用筒体３、他側に筒体３を保持する保持機構４が構成されている。この例では前記流路２より分岐して保持機構４をもつ分岐口５を備えたものである。保持機構４にはこれを構成する部材を支持するキャップ６が螺着されている。尚、ここに挙げたものは継手の一例であって、図示はしないが分岐口のない形状の継手等があることは言うまでもない。
【０００５】
かかる継手より配管ヘッダ−を構成するには複数の継手の連結用筒体３を夫々順次保持機構４内に差し込んでなるもので、所望の数の分岐口５を持つ配管ヘッダ−を構成する。しかるに、得られた配管ヘッダ−は継手が連続的に連なったものであり、外力によって図のように継手が全体として折れ曲がったような状態（固定位置のずれやねじれの状態）の配管ヘッダ−となりやすく、基盤上の固定する固定具はこの折れ曲がり現象に耐え、しかも、できればこの現象を阻止する機能を有することが必要となる。
【０００６】
勿論、プラスチックパイプ同士、或いは機器とプラスチックパイプを繋ぐのに用いられる同様の継手にあっても、パイプに柔軟性があるがために継手が向きを変えたり、移動することは避けられないことから、継手のみの場合であっても同様な阻止機能を有することが必要である。
【０００７】
【発明が解決しようとする課題】
本発明は以上のような従来の技術に鑑みてなされたものであって、プラスチック製の継手及びこれを複数連結してなる配管ヘッダ−を固定するための固定具を提供するものである。
【０００８】
【課題を解決するための手段】
本発明の要旨は、基盤への固定部１とプラスチック継手のキャップを挟む挟持部２とよりなるパイプ継手の固定具であって、前記挟持部２は二つ割りされ、かつこの幅方向に内側に湾曲してキャップの側面を挟み込む舌片を備え、更に挟持部２の前端に相互に係止する係止手段を持ち、後端側を固定部１に立設された脚部により回転可能に支持され、後端側より更に内側に伸びる踏部を形成し、前端よりキャップを差し込み、当該キャップにて踏部を押して前端の係止手段が作動するようにしたことを特徴とするパイプ継手の固定具である。
【０００９】
そして、パイプ継手がプラスチック製であり、固定具が好ましくは金属製である。勿論、前記したように、本発明のパイプ継手の範疇には、パイプ継手を連結した配管ヘッダ−が含まれることは言うまでもない。
【００１０】
【発明の実施の形態】
本発明は以上の通りであって、継手を構成する最も強度の高い部位を挟持部をもって固定し、しかもこのキャップの側面を挟み込む舌片を形成したことによりずれやねじれを阻止することができるものであり、更には、例えずれやねじれが生じたとしても挟持部がキャップと殆ど一体となってずれ、或いはねじれることから、固定部と継手が離脱してしまうということはなくなるものである。
【００１１】
プラスチック製の継手の一例としては、基体がポリブテン等のプラスチック製であり、この基体を貫通する流路が形成され、その一側に連結用筒体、他側に筒体を保持する保持機構が構成されている。そして例えば前記流路より分岐して保持機構をもつ分岐口を備えたものである。保持機構の代表例としてはＯ−リング、グラブリング及びこれらを支持して基体に螺着されたキャップよりなるものである。尚、継手の保持機構はこれに限定されるものでないことは勿論である。
【００１２】
【実施例】
以下、図面をもって本発明を更に詳細に説明する。図３は本発明に係る継手の一例を示す断面図であり、符号１〜６は前記した通りである。さて、筒体３を保持する保持機構４にあっては、流路２の段部２１  内にＯ−リング７及びパイプ保持リング８が内蔵され、これらをキャップ６にて支持した構造である。
【００１３】
そして、配管ヘッダ−１０は前記の継手を複数用い、連結用筒体３を順次保持機構４内へ差し込んで連結してなるものである。連結用筒体３の表面をＯ−リング７及びパイプ保持リング８の図示しない爪が噛み込んで継手が順次固定されて配管ヘッダ−１０が構成される。分岐口５には前記した保持機構４がそのまま備えられている。さて、この配管ヘッダ−１０は一つひとつの継手が連結用筒体と保持機構をもって連結されたものであるので、外力が加わった場合には、図２で示すようにその連結部位で折り曲がった状態となることがある。
【００１４】
本発明はこのために特別な構成をもった固定具を採用したものであり、図４は本発明の固定具の正面図、図５はその側面図である。
【００１５】
本発明の固定具２０は金属製であり、２１は略長方形をなす基盤への固定部であって、中央に基盤への取付用の長穴２１ａが穿孔され、その周囲はフランジ状に立設されて強度アップが図られている。この固定部２１の対向する辺より一対の脚部２２、２２が立ち上げられ、この先端に左右に張り出すピン２２ａ、２２ａが備えられている。２３は挟持部であり、これは二つ割りの挟持部２３ａ、２３ｂされその内周面はほぼキャップ６の外形と同等かそれよりもやや小さめの円弧面をなすものである。この挟持部２３ａ、２３ｂの前端には相互に係止する係止手段を持つもので、具体的には２３ｂ側に外向きの突起２３ｃを形成し、２３ａ側にこれと引っ掛かる掛止部２３ｄを備えたものである。かかる挟持部２３ａ、２３ｂの後端の外側に前記したピン２２ａ、２２ｂを納める穴２３ｅが形成され、挟持部２３ａ、２３ｂが回転可能に軸支される。かかる挟持部２３ａ、２３ｂの幅縁には内側に湾曲してキャップの側面を挟み込む舌片２３ｆ、２３ｆを備えたものである。そして、挟持部２３ａ、２３ｂの後端より更に内側に伸びる踏部２３ｇ、２３ｇが備えられたものである。
【００１６】
さて、この固定具２０によって配管ヘッダ−１０を固定する場合を図６にて示す。この図６は固定具２０と継手との関係を示す側面図である。先ず基盤の所定位置に固定具２０を固定するが、前記した長穴２１ａを利用し、図示しないボルトにて固定する。そして、配管ヘッダ−１０を構成する継手のキャップ６を挟持部２３ａ、２３ｂの前端より挿入し、踏部２３ｇ、２３ｇを強く押し、前端を閉じて突起２３ｃと掛止部２３ｄとを引っ掛けて係止させるものである。このため、キャップ６はそのほぼ全周を挟持部２３ａ、２３ｂにて押え込まれ、しかもキャップ６の側面を舌片２３ｆ、２３ｆにて挟み込まれることとなり、ここに配管ヘッダ−１０を固定する固定具２０となったものである。
【００１７】
継手（配管ヘッダ−）を構成する内の最も強度の高いキャップ６を、外周のほぼ全周を、更にはその側面を押え込む構造の固定具２０であるため、継手（配管ヘッダ−）のずれに対してキャップ６を強く押え込むことからそのずれを矯正する機能を持ち、又、ずれやねじれが生じてもキャップ６を完全に挟持した固定具２０はこれより外れることなく、一体として挙動するという特徴がある。
【００１８】
尚、本発明の固定具２０は上記したように金属製よりなるものが強度の面から望ましいが、必ずしもこれに限定するものではなく、強度の高いプラスチック製の固定具であってもよいことは言うまでもない。図７はこのプラスチック製の固定具３０を示す側面図であり、この例では、基盤への固定部３１、脚部３２、挟持部３３は夫々一体に形成され、脚部３２と一対の挟持部３３との連結部をやや薄めとして柔軟性を持たせて回転可能としたものである。挟持部３３の内周面は前例と同様にキャップ６の外形と同等かやや小さめの円弧面とされている。そして、挟持部３３ａ、３３ｂの前端には係止手段としての凹凸部３３ｄが備えられている。又、挟持部３３ａ、３３ｂの左右縁部にはキャップ６を左右より挟むべく舌片３３ｆ、３３ｆが内向きに備えられたもので、３３ｇは踏部である。
【００１９】
かかる固定具３０をもって継手を固定する際には、前例と同じく継手のキャップ６は挟持部３３ａ、３３ｂにてその外周が囲まれ、そして、舌片３３ｆ、３３ｆにてその左右の縁部が挟まれることになり、係止手段としての凹凸部３３ｄが嵌合することによって固定がなされることになる。
【００２０】
尚、本発明の継手は上記したものに限定されないことは勿論であり、図８は別例の継手を示すものである。即ち、段部２１  内にＯ−リング７とカラ−９とが内蔵されたものであって、カラ−９にはその内側に図示しない爪が備えられて差し込まれるパイプ等の表面に食い込む構成をなし、そのカラ−９の外表面は傾斜面９ａを備えている。一方、キャップ６の内周側は傾斜面９ａに対向した傾斜面６ａが形成され、カラ−９が差し込まれたパイプ等と共に抜け出す方向に移動すると、傾斜面同士が接触し合い、カラ−９は内向きの力が加えられてパイプ等を更に締め付ける自動締め付け構造となっている。
【００２１】
【発明の効果】
本発明は以上の通りの構成を備えた固定具であって、プラスチック製の継手の内、最も強度の高いキャップを固定するものであり、その固定強度は高く、継手のずれやねじれにも十分耐え得る固定具となったものであり、その実用価値は極めて高い。
【図面の簡単な説明】
【図１】図１はプラスチック製の継手の一例の側面図である。
【図２】図２はこれを連結した配管ヘッダ−の側面図である。
【図３】図３は本発明に係る継手の詳細例を示す断面図である。
【図４】図４は本発明の固定具の正面図である。
【図５】図５はその側面図である。
【図６】図６は本発明の金属製の固定具を用いた配管ヘッダ−の側面図である。
【図７】図７は本発明のプラスチック製の固定具の側面図である。
【図８】図８は本発明に係る継手の別例を示す断面図である。
【符号の説明】
１‥継手の基体、
２‥基体を貫通する流路、
２１  ‥流路内の段部、
３‥連結用筒体、
４‥筒体保持機構、
５‥分岐口、
６‥キャップ、
７‥Ｏ−リング、
８‥パイプ保持リング、
９‥カラ−、
１０‥配管ヘッダ−、
２０、３０‥固定具、
２１、３１‥固定部、
２１ａ‥取付用長穴、
２２、３２‥脚部、
２２ａ‥ピン、
２３、２３ａ、２３ｂ、３３、３３ａ、３３ｂ‥挟持部、
２３ｃ‥突起、
２３ｄ‥掛止部、
２３ｅ‥ピンを納める穴、
２３ｆ、３３ｆ‥キャップの側面を挟み込む舌片、
２３ｇ、３３ｇ‥踏部。
【図１】
2004225858.tif 000003
【図２】
2004225858.tif 000004
【図３】
2004225858.tif 000005
【図４】
2004225858.tif 000006
【図５】
2004225858.tif 000007
【図６】
2004225858.tif 000008
【図７】
2004225858.tif 000009
【図８】
2004225858.tif 000010